(57)【特許請求の範囲】
【請求項１】
より高いステーションからより低いステーションへ人間を搬送するための人間搬送用装置において、
連接されかつ移動不能な方法において互いに接続された複数の個々の部分（４１，４２，４３）から形成された案内レール（４）と、
前記案内レール（４）を地面の上方の或る距離において支持する複数の支持体（１，２，３）と、
前記案内レール（４）を前記支持体（１，２，３）の少なくとも１つ（３）に固定しかつほぼ垂直の軸線のまわりに枢着されているリンク部材（３１）とを有しており、
前記案内レール（４）が、曲線部分（４３）を有しており、
２つの支持体（３ａ、３ｂ）が、それぞれ前記曲線部分に隣接して配置されると共にそれぞれの前記リンク部材（３１ａ、３１ｂ）を介して前記案内レールを支持し、
前記支持体（３ａ、３ｂ）が、実質上水平に突出する負荷支持部材を形成しているアーム（３２ｂ）を備えており、
更に、前記リンク部材（３１ａ、３１ｂ）が、前記アームの前記支持体から離れた半径方向外方の自由端部に取り付けられておりかつ連結バー（６）によって互いに接続されていることを特徴とする人間搬送用装置。
【請求項２】
前記案内レール（４）が、前記リンク部材（３１ａ、３１ｂ）の前記支持体（３ａ、３ｂ）に向かって突出している端部に固定されていることを特徴とする請求項１に記載の人間搬送用装置。
【発明の詳細な説明】
【０００１】
【発明の属する技術分野】
本発明は、より高いステーション（山ステーション）からより低いステーション（谷ステーション）へ下って人間を搬送するための人間搬送用装置に関する。本装置は椅子、キャビン等を備えたキャリッジがそれに沿って移動され得る案内レールを有している。
【０００２】
【従来の技術】
この型の装置は、ヨーロッパ出願第ＥＰ１０２６０６１Ａ２号として公開された私の先願の明細書、アメリカ合衆国出願第０９／４８８，７４８号に開示されている。そこで、案内レールは互いに堅固に接続されかつブラケットによって支持ケーブルに固定される多数のサブレールを含んでいる。
【０００３】
【発明が解決しようとする課題】
堅固な案内レールの場合において、キャリッジが配置されるそれらの位置は各場合に非常に高い荷重を受けるので、サブレールおよびその接続は非常に大きな寸法からならねばならない。加えて、かかるレールは、また、熱膨張の理由で、高いレベルの応力および結果として生じる荷重を受ける。
【０００４】
したがって、本発明の目的は、この一般的な型の従来公知の装置および方法の上述した欠点を克服しかつ案内レールが受ける荷重を減少しかつそのために案内レールがより小さい寸法からなることができる、より高いステーションからより低いステーションへ人間を移動するための、人間搬送用装置を提供することにある。
【０００５】
【課題を解決するための手段】
上記および他の目的に鑑みて、本発明によれば、より高いステーションからより低いステーションへ人間を搬送するための人間搬送用装置において、連接されかつ移動不能な方法において互いに接続された複数の個々の部分から形成された案内レールと、前記案内レールを地面の上方の或る距離において支持する複数の支持体と、前記案内レールを前記支持体の少なくとも１つに固定しかつほぼ垂直の軸線のまわりに枢着されているリンク部材とを有しており、前記案内レールが、曲線部分を有しており、２つの支持体が、それぞれ前記曲線部分に隣接して配置されると共にそれぞれの前記リンク部材を介して前記案内レールを支持し、前記支持体が、実質上水平に突出する負荷支持部材を形成しているアームを備えており、更に、前記リンク部材が、前記アームの前記支持体から離れた半径方向外方の自由端部に取り付けられておりかつ連結バーによって互いに接続されている人間搬送用装置が提供される。
【０００６】
言い換えれば、本発明の目的は、本発明によれば、案内レールの個々の部分が連接されたかつ並進の移動不能な方法において互いに接続され、そして案内レールが各場合にほぼ垂直軸線のまわりに枢動されるリンクによって支持体等の少なくとも幾つかに固定されることによって達成される。
【０００７】
好ましくは、案内レールの曲線の領域において、２つのリンクが連結バーによって互いに接続されるように一方が他方に並んで置かれる支持体上に配置されている。
【０００８】
本発明の付随する特徴によれば、これらの支持体等は少なくともほぼ水平に突出する負荷支持部材を備え、この負荷支持部材上にリンクがそれらの半径方向外方の端部において取り付けられ、そして案内レールが前記支持体に向かって突出しているリンクのその端部において固定される。
【０００９】
本発明に関する特徴として見なされる他の特徴は請求の範囲の項に記載されている。
【００１０】
本発明は山ステーションから谷ステーションへ人間を運び下ろすための装置において具体化されるように本書において説示しているが、それにも拘わらず、種々の変更および構造的変化が本発明の精神から逸脱することなしにかつ請求項の同等物の限界および範囲内でなされ得るので、本発明は示された詳細に限定するようには意図してない。
【００１１】
しかしながら、本発明の構成および作動方法は、追加の目的およびその利点とともに、添付図面に関連して読まれるとき特別な実施例の以下の説明から最良に理解される。
【００１２】
【発明の実施の形態】
次に図面の各図を、かつまず、とくに図１を詳細に参照すると、主として概略図において、案内レール４がそれに固定される、第１の支持体１および第２の支持体２が示されている。第３の支持体３が２つの支持体１および２の間に配置されている。案内レール４はリンク３１によって連接された方法において第３支持体３に固定されている。案内レール４は連接された方法において互いに接続されれるがそれらが相対的に移動できないような多数のサブレールを含んでいる。
【００１３】
図１は、案内レール４の−チェーンと同様に、２つの部分４１および４２がほぼ均一に撓んでいる、装置の休止位置を示している。
【００１４】
案内レール４が、図１ａおよび図１ｂに示されるように、少なくとも１人の人間を保持し、案内レールの上を走行するキャリッジ５を有すると直ぐに、案内レール４は結果として生じる荷重により大きな引っ張り力を受ける。しかしながら、案内レール４はリンク３１によって第３の支持体３に固定されているので、キャリッジ５が配置される領域において他の場所より大きな際立った範囲に撓み得る。結果として、案内レール４が受ける引っ張り力は減少される。加えて、引っ張り力は案内レール４のそれぞれ他の部分によって吸収される。結果として、案内レール４および第３の支持体３の両方は、案内レール４が第３の支持体３上に堅固に固定された場合に必要であるより小さい寸法からなることができる。
【００１５】
図１ａは、キャリッジ５が案内レール４の部分４１に配置されている運転位置を示している。図１ｂは、キャリッジ５が案内レール４の部分４２にある運転位置を示している。
【００１６】
図２、図２ａおよび図２ｂは図１、図１ａおよび図１ｂによる装置の変形例を示しており、その場合に案内レール４がリンク３１ａおよび３１ｂ、案内レールの部分４３によって連接された方法においてそれに固定される２つの中央支持体３ａおよび３ｂが設けられる。部分４３は２つの支持体３ａおよび３ｂ間に配置されそしてとくに屈曲された設計からなっている。
【００１７】
図１、図１ａおよび図１ｂおよび図２、図２ａおよび図２ｂによる装置は本発明による装置を略示している。実際の実施例においては、山ステーションと谷ステーションとの間に、山ステーションから谷ステーションに延びる案内レールがそれに固定される多数の支持体が配置され、案内レールは直線のかつ正確に屈曲された部分またはセグメントを有することができる。加えて、また、案内レールは支持体の幾つかに堅固に固定されることができる。かかる装置に関する重要な要因は、案内レールが支持体の幾つかの上に連接された方法において固定されるということであり、その結果として案内レールの個々の部分が受ける引っ張り荷重が隣接する部分によって吸収される。
【００１８】
図３および図３ａを参照して、一方が他方に並んで配置されかつそれらの間に案内レール４の屈曲された部分４３が配置される２つの支持体３ａおよび３ｂのリンク３１ａおよび３１ｂは、連結バー６を介して互いに接続される。この連結バー６によって、案内レール４の部分４１および４２の一方がそれに従う引っ張り力がそれぞれ他の部分に伝達される。
【００１９】
図４および図４ａは支持体の構造を示している。支持体３ｂによって示されるように、支持体３ｂは。その頂部端において、ほぼ水平に突出するアーム３２ｂを備え、このアームの自由端にリンク３１ｂがほぼ垂直に延びる軸線のまわりに取り付けられる。加えて、連結バー６はリンク３１ｂの中央垂直領域において連接されている。
【００２０】
図５および図５ａを参照して、サブレール４０の当接している端部はその端部を超えて突出しかつそれらを貫通するボルト６４を有しているリンクプレート６１，６２および６３を備えている。結果として、サブレール４０は、それらが相対的に僅かに枢動され得るけれども、移動不能な方法において、すなわち、長手方向における並進の意味において互いに接続され、その結果としてサブレールはそれぞれの荷重領域において相対的に枢動されることができ、その結果として案内レール４に必要とされる撓みが可能にされる。
【００２１】
サブレール４０の、すなわち、レールそれ自体の断面形状はこの開示されたものを使用しても、本発明にはほとんど影響を及ぼさない。レールは、例えば、その開示が本書に参考として組み込まれている、私の同時係属特許出願（代理人事件番号ＷＲＡ−３３１２７）において開示されるような形状を採ることもできる。
【００２２】
【発明の効果】
叙上のごとく、本発明によれば、連接されかつ移動不能な方法において互いに接続された複数の個々の部分から形成された案内レールと、前記案内レールを地面の上方の或る距離において支持する複数の支持体と、前記案内レールを前記支持体の少なくとも１つに固定しかつほぼ垂直の軸線のまわりに枢着されているリンク部材とを有しており、前記案内レールが、曲線部分を有しており、２つの支持体が、それぞれ前記曲線部分に隣接して配置されると共にそれぞれの前記リンク部材を介して前記案内レールを支持し、前記支持体が、実質上水平に突出する負荷支持部材を形成しているアームを備えており、更に、前記リンク部材が、前記アームの前記支持体から離れた半径方向外方の自由端部に取り付けられておりかつ連結バーによって互いに接続されている構成としたので、案内レールが受ける荷重を減少しかつそのために案内レールがより小さい寸法からなることができる、より高いステーションからより低いステーションへ人間を移動するための人間搬送用装置を提供することができる。
【図面の簡単な説明】
【図１】  第１の運転位置において本発明による装置の第１の実施例を示している概略図である。
【図１ａ】  第２の運転位置において本発明による装置の第１の実施例を示している概略図である。
【図１ｂ】  第３の運転位置において本発明による装置の第１の実施例を示している概略図である。
【図２】  第１の運転位置において本発明による装置の第２の実施例を示している概略図である。
【図２ａ】  第２の運転位置において本発明による装置の第２の実施例を示している概略図である。
【図２ｂ】  第３の運転位置において本発明による装置の第２の実施例を示している概略図である。
【図３】  曲線における装置の構造を示している平面図である。
【図３ａ】  図３より拡大尺度で図３における細部Ａを示している平面図である。
【図４】  本発明による装置の支持体を示している概略正面図である。
【図４ａ】  図４の拡大細部である。
【図５】  本発明による装置に使用される２つの部分を継ぎ合わせたサブレールの側面図である。
【図５ａ】  図５の線Ｖ−Ｖに沿う断面図である。
【符号の説明】
１    第１の支持体
２    第２の支持体
３    第３の支持体
３ａ  中央の支持体
３ｂ  中央の支持体
４    案内レール
５    キャリッジ
６    連結バー
３１    リンク
３２ｂ  アーム
４０    サブレール
４１    案内レールの部分
４２    案内レールの部分
６１    リンクプレート
６２    リンクプレート
６３    リンクプレート
【図１】
0003823059.tif 000002
【図１ａ】
0003823059.tif 000003
【図１ｂ】
0003823059.tif 000004
【図２】
0003823059.tif 000005
【図２ａ】
0003823059.tif 000006
【図２ｂ】
0003823059.tif 000007
【図３】
0003823059.tif 000008
【図３ａ】
0003823059.tif 000009
【図４】
0003823059.tif 000010
【図４ａ】
0003823059.tif 000011
【図５】
0003823059.tif 000012
【図５ａ】
0003823059.tif 000013